(57)【要約】  様々な実施形態は、制御チャネルの送信電力を減少させる前にアグレッササブスクリプションのデータチャネルの送信電力を減少させることによってビクティムサブスクリプションのデセンスを管理するためのマルチSIMマルチアクティブ(MSMA)通信デバイス上で実施される方法を提供する。ビクティムがデセンスされている/されることになるとき、MSMA通信デバイスのプロセッサは、アグレッササブスクリプションが1つまたは複数のビクティムサブスクリプションをデセンスすることなく送信することができるデセンス電力しきい値を決定してもよい。プロセッサは、アグレッササブスクリプションのデータチャネルの送信電力をデセンス電力しきい値内に減少させてもよい。アグレッササブスクリプションのデータチャネル送信電力をゼロにすることがビクティムのデセンスを回避するのに不十分である場合、アグレッササブスクリプションの制御チャネルの送信電力は、アグレッササブスクリプションの総送信電力がデセンス電力しきい値以下になるまで減少されてもよい。これは、アグレッササブスクリプションのスループットへの最小限の障害でビクティムサブスクリプションへのデセンスを減少させる。
2017511660.tif 000002
【特許請求の範囲】
【請求項１】
第1の通信アクティビティによって生じる第2の通信アクティビティに対するデセンスを軽減するための、マルチ加入者識別モジュール(SIM)-マルチアクティブ通信デバイスにおいて実施される方法であって、
前記マルチSIMマルチアクティブ通信デバイス内で、前記第1の通信アクティビティと前記第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算するステップと、
前記第1の通信アクティビティのデータチャネル電力および制御チャネル電力の合計に等しい前記第1の通信アクティビティに関連付けられた総送信電力が前記デセンス電力しきい値を超えないように、前記マルチSIMマルチアクティブ通信デバイス内で、前記データチャネル電力および前記制御チャネル電力のうちの少なくとも一方を減少させるステップであって、前記制御チャネル電力が減少される前に、前記データチャネル電力がゼロに減少される、ステップと
を備える方法。
【請求項２】
前記第1の通信アクティビティと前記第2の通信アクティビティとの間の共存イベントを検出するステップが、
共存イベントが前記第1の通信アクティビティと前記第2の通信アクティビティとの間に発生しようとしていることを決定するステップと、
共存イベントが前記第1の通信アクティビティと前記第2の通信アクティビティとの間に発生していることを決定するステップと
のうちの一方を備える、請求項1に記載の方法。
【請求項３】
前記第1の通信アクティビティのデータチャネル電力および制御チャネル電力のうちの少なくとも一方を減少させるステップが、
前記デセンス電力しきい値が前記総送信電力未満であるかどうかを決定するステップと、
前記デセンス電力しきい値が前記総送信電力未満であることを決定することに応答して、前記制御チャネル電力が前記デセンス電力しきい値を超えているかどうかを決定するステップと、
前記制御チャネル電力が前記デセンス電力しきい値を超えていないことを決定することに応答して、前記総送信電力が前記デセンス電力しきい値を超えないように、前記データチャネル電力のみを減少させるステップと
を備える、請求項1に記載の方法。
【請求項４】
前記制御チャネル電力が前記デセンス電力しきい値を超えていることを決定することに応答して、前記制御チャネル電力を前記デセンス電力しきい値と等しくなるように減少させる前に、前記データチャネル電力をゼロにするステップをさらに備える、請求項3に記載の方法。
【請求項５】
前記第1の通信アクティビティが、複数のデータチャネルに関連付けられ、
前記第1の通信アクティビティのデータチャネル電力および制御チャネル電力のうちの少なくとも一方を減少させるステップが、
前記複数のデータチャネル内のデータチャネルを選択するステップと
前記総送信電力と前記選択されたデータチャネルのチャネル電力との間の差が前記デセンス電力しきい値を超えているかどうかを決定するステップと、
前記差が前記デセンス電力しきい値を超えていないことを決定することに応答して、前記総送信電力が前記デセンス電力しきい値を超えないように、前記選択されたデータチャネルの前記チャネル電力を減少させるステップと
を備える、請求項1に記載の方法。
【請求項６】
前記差が前記デセンス電力しきい値を超えていることを決定することに応答して、前記選択されたデータチャネルの前記チャネル電力をゼロにするステップをさらに備える、請求項5に記載の方法。
【請求項７】
デセンス電力しきい値を計算するステップ、ならびに、前記第1の通信アクティビティに関連付けられた総送信電力が前記デセンス電力しきい値を超えないように、前記第1の通信アクティビティのデータチャネル電力および制御チャネル電力のうちの少なくとも一方を減少させるステップの各々が、前記第1の通信アクティビティの各アップリンク送信サイクルの間に生じる、請求項1に記載の方法。
【請求項８】
前記第1の通信アクティビティのためのデセンス電力しきい値を計算するステップが、複数の他の通信アクティビティをデセンスしない前記第1の通信アクティビティの最大送信電力として、前記第1の通信アクティビティのための前記デセンス電力しきい値を計算するステップを備える、請求項1に記載の方法。
【請求項９】
メモリと、
複数の無線周波数(RF)リソースと、
前記メモリ、複数のSIM、および前記複数のRFリソースに結合されたプロセッサと
を備え、前記プロセッサが、
第1の通信アクティビティと第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算することと、
前記第1の通信アクティビティのデータチャネル電力および制御チャネル電力の合計に等しい前記第1の通信アクティビティに関連付けられた総送信電力が前記デセンス電力しきい値を超えないように、前記データチャネル電力および前記制御チャネル電力のうちの少なくとも一方を減少させることであって、前記制御チャネル電力が減少される前に、前記データチャネル電力がゼロに減少される、ことと
を行うように構成された、マルチ加入者識別モジュール(SIM)-マルチアクティブ通信デバイス。
【請求項１０】
前記プロセッサが、
共存イベントが前記第1の通信アクティビティと前記第2の通信アクティビティとの間に発生しようとしていること、または、
共存イベントが前記第1の通信アクティビティと前記第2の通信アクティビティとの間に発生していることを決定することを行うようにさらに構成された、請求項9に記載のマルチSIMマルチアクティブ通信デバイス。
【請求項１１】
前記プロセッサが、
前記デセンス電力しきい値が前記総送信電力未満であるかどうかを決定することと、
前記デセンス電力しきい値が前記総送信電力未満であることを決定することに応答して、前記制御チャネル電力が前記デセンス電力しきい値を超えているかどうかを決定することと、
前記制御チャネル電力が前記デセンス電力しきい値を超えていないことを決定することに応答して、前記総送信電力が前記デセンス電力しきい値を超えないように、前記データチャネル電力のみを減少させることと
を行うようにさらに構成された、請求項9に記載のマルチSIMマルチアクティブ通信デバイス。
【請求項１２】
前記プロセッサが、前記制御チャネル電力が前記デセンス電力しきい値を超えていることを決定することに応答して、前記制御チャネル電力を前記デセンス電力しきい値と等しくなるように減少させる前に、前記データチャネル電力をゼロにするようにさらに構成された、請求項11に記載のマルチSIMマルチアクティブ通信デバイス。
【請求項１３】
前記第1の通信アクティビティが、複数のデータチャネルに関連付けられ、
前記プロセッサが、
前記複数のデータチャネル内のデータチャネルを選択することと
前記総送信電力と前記選択されたデータチャネルのチャネル電力との間の差が前記デセンス電力しきい値を超えているかどうかを決定することと、
前記差が前記デセンス電力しきい値を超えていないことを決定することに応答して、前記総送信電力が前記デセンス電力しきい値に等しくなるように、前記選択されたデータチャネルの前記チャネル電力を減少させることと
を行うようにさらに構成された、請求項9に記載のマルチSIMマルチアクティブ通信デバイス。
【請求項１４】
前記プロセッサが、前記差が前記デセンス電力しきい値を超えていることを決定することに応答して、前記選択されたデータチャネルの前記チャネル電力をゼロにするようにさらに構成された、請求項13に記載のマルチSIMマルチアクティブ通信デバイス。
【請求項１５】
前記プロセッサが、前記第1の通信アクティビティの各アップリンク送信サイクルの間に、前記デセンス電力しきい値を計算することと、前記第1の通信アクティビティに関連付けられた総送信電力が前記デセンス電力しきい値を超えないように、前記第1の通信アクティビティの前記データチャネル電力および前記制御チャネル電力のうちの少なくとも一方を減少させることとを行うようにさらに構成された、請求項9に記載のマルチSIMマルチアクティブ通信デバイス。
【請求項１６】
前記プロセッサが、複数の他の通信アクティビティをデセンスしない前記第1の通信アクティビティの最大送信電力として、前記第1の通信アクティビティのための前記デセンス電力しきい値を計算するようにさらに構成された、請求項9に記載のマルチSIMマルチアクティブ通信デバイス。
【請求項１７】
第1の通信アクティビティと第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算する動作と、
前記第1の通信アクティビティのデータチャネル電力および制御チャネル電力の合計に等しい前記第1の通信アクティビティに関連付けられた総送信電力が前記デセンス電力しきい値を超えないように、前記データチャネル電力および前記制御チャネル電力のうちの少なくとも一方を減少させる動作であって、前記制御チャネル電力が減少される前に、前記データチャネル電力がゼロに減少される、動作と
を備える動作を、マルチ加入者識別モジュール(SIM)-マルチアクティブ通信デバイスのプロセッサに実行させるように構成されたプロセッサ実行可能命令が記憶されている非一時的プロセッサ可読記憶媒体。
【請求項１８】
前記記憶されたプロセッサ実行可能命令が、前記マルチSIMマルチアクティブ通信デバイスのプロセッサに、前記第1の通信アクティビティと前記第2の通信アクティビティとの間の共存イベントを検出するための動作を実行させるように構成され、前記動作が、
共存イベントが前記第1の通信アクティビティと前記第2の通信アクティビティとの間に発生しようとしていることを決定する動作と、
共存イベントが前記第1の通信アクティビティと前記第2の通信アクティビティとの間に発生していることを決定する動作と
のうちの少なくとも1つを備える、請求項17に記載の非一時的プロセッサ可読記憶媒体。
【請求項１９】
前記記憶されたプロセッサ実行可能命令が、前記マルチSIMマルチアクティブ通信デバイスのプロセッサに、前記第1の通信アクティビティの前記データチャネル電力および前記制御チャネル電力のうちの少なくとも一方を減少させるための動作を実行させるように構成され、前記動作が、
前記デセンス電力しきい値が前記総送信電力未満であるかどうかを決定する動作と、
前記デセンス電力しきい値が前記総送信電力未満であることを決定することに応答して、前記制御チャネル電力が前記デセンス電力しきい値を超えているかどうかを決定する動作と、
前記制御チャネル電力が前記デセンス電力しきい値を超えていないことを決定することに応答して、前記総送信電力が前記デセンス電力しきい値を超えないように、前記データチャネル電力のみを減少させる動作と
を備える、請求項17に記載の非一時的プロセッサ可読記憶媒体。
【請求項２０】
前記記憶されたプロセッサ実行可能命令が、前記マルチSIMマルチアクティブ通信デバイスのプロセッサに、前記制御チャネル電力が前記デセンス電力しきい値を超えていることを決定することに応答して、前記制御チャネル電力を前記デセンス電力しきい値と等しくなるように減少させる前に、前記データチャネル電力をゼロにする動作をさらに備える動作を実行させるように構成された、請求項19に記載の非一時的プロセッサ可読記憶媒体。
【請求項２１】
前記第1の通信アクティビティが、複数のデータチャネルに関連付けられ、
前記記憶されたプロセッサ実行可能命令が、前記マルチSIMマルチアクティブ通信デバイスのプロセッサに、前記第1の通信アクティビティのデータチャネル電力および制御チャネル電力のうちの少なくとも一方を減少させるための動作を実行させるように構成され、前記動作が、
前記複数のデータチャネル内のデータチャネルを選択する動作と
前記総送信電力と前記選択されたデータチャネルのチャネル電力との間の差が前記デセンス電力しきい値を超えているかどうかを決定する動作と、
前記差が前記デセンス電力しきい値を超えていないことを決定することに応答して、前記総送信電力が前記デセンス電力しきい値に等しくなるように、前記選択されたデータチャネルの前記チャネル電力を減少させる動作と
を備える、請求項17に記載の非一時的プロセッサ可読記憶媒体。
【請求項２２】
前記記憶されたプロセッサ実行可能命令が、前記マルチSIMマルチアクティブ通信デバイスのプロセッサに、前記差が前記デセンス電力しきい値を超えていることを決定することに応答して、前記選択されたデータチャネルの前記チャネル電力をゼロにする動作をさらに備える動作を実行させるように構成された、請求項21に記載の非一時的プロセッサ可読記憶媒体。
【請求項２３】
前記記憶されたプロセッサ実行可能命令が、前記マルチSIMマルチアクティブ通信デバイスのプロセッサに、デセンス電力しきい値を計算する動作、ならびに、前記第1の通信アクティビティに関連付けられた総送信電力が前記デセンス電力しきい値を超えないように、前記第1の通信アクティビティのデータチャネル電力および制御チャネル電力のうちの少なくとも一方を減少させる動作の各々が、前記第1の通信アクティビティの各アップリンク送信サイクルの間に生じるように動作を実行させるように構成された、請求項17に記載の非一時的プロセッサ可読記憶媒体。
【請求項２４】
前記記憶されたプロセッサ実行可能命令が、前記マルチSIMマルチアクティブ通信デバイスのプロセッサに、前記第1の通信アクティビティのためのデセンス電力しきい値を計算するための動作を実行させるように構成され、前記動作が、複数の他の通信アクティビティをデセンスしない前記第1の通信アクティビティの最大送信電力として、前記第1の通信アクティビティのための前記デセンス電力しきい値を計算する動作を備える、請求項17に記載の非一時的プロセッサ可読記憶媒体。
【請求項２５】
第1の通信アクティビティと第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算するための手段と、
前記第1の通信アクティビティのデータチャネル電力および制御チャネル電力の合計に等しい前記第1の通信アクティビティに関連付けられた総送信電力が前記デセンス電力しきい値を超えないように、前記データチャネル電力および前記制御チャネル電力のうちの少なくとも一方を減少させるための手段であって、前記制御チャネル電力が減少される前に、前記データチャネル電力がゼロに減少される、手段と
を備える、マルチ加入者識別モジュール(SIM)-マルチアクティブ通信デバイス。
【発明の詳細な説明】
【背景技術】
【０００１】
スマートフォン、タブレットコンピュータ、およびラップトップコンピュータなどの、モバイル通信デバイスのいくつかの新しい設計は、複数の別個のモバイルテレフォニネットワークへのアクセスをユーザに提供する2つ以上の加入者識別モジュール(「SIM(Subscriber Identity Module)」)カードを含む。モバイルテレフォニネットワークの例は、GSM（登録商標）、TD-SCDMA、CDMA2000、およびWCDMA（登録商標）を含む。例示的なマルチSIMモバイル通信デバイスは、モバイル電話、ラップトップコンピュータ、スマートフォン、および、複数のモバイルテレフォニネットワークに接続するように構成された他のモバイル通信デバイスを含む。複数のSIMを含み、2つ以上の別個の無線周波数(「RF」)トランシーバを使用して2つ以上のモバイルテレフォニネットワークに接続するモバイル通信デバイスは、「マルチSIMマルチアクティブ(multi-SIM-multi-active)」または「MSMA」通信デバイスと呼ばれる。例示的なMSMA通信デバイスは、2つのモバイルテレフォニネットワークに関連付けられた2つのSIMカード/サブスクリプションを含む「デュアルSIMデュアルアクティブ」または「DSDA」通信デバイスである。
【０００２】
マルチSIMマルチアクティブ通信デバイスは、複数の別個のRF通信回路または「RFチェーン」を有するので、MSMA通信デバイス上の各サブスクリプションは、いつでもそのモバイルネットワークと通信するためにその関連するRFチェーンを使用してもよい。しかしながら、動作の特定のバンド-チャネルの組合せでは、RFチェーンの同時使用は、MSMA通信デバイス内に含まれるRFチェーンのアンテナの近接のため、1つまたは複数のRFチェーンが、正常に動作するための他のRFチェーンの能力の感度を減じさせる(desensitize)または干渉する原因となる可能性がある。
【０００３】
一般的に、受信機の感度低下(desensitization)(「デセンス(de-sense)」と呼ばれる)または受信機感度の低下は、近くの送信機の雑音干渉から生じる可能性がある。たとえば、アグレッサ(aggressor)通信アクティビティ(「アグレッサ」)と呼ばれる一方がアップリンク上で送信し、ビクティム(victim)通信機アクティビティ(「ビクティム」)と呼ばれる他方がダウンリンク上で受信する2つの無線が互いに近いとき、アグレッサの送信機からの信号は、ビクティムの受信機によってピックアップされる可能性があり、または、さもなければ(たとえば、遠方の基地局からの)より弱い信号の受信に干渉する可能性がある。結果として、受信された信号は、破損され、ビクティムが復号するのが困難または不可能になる可能性がある。受信機デセンスは、送信機および受信機の必要な近接のため、MSMA通信デバイスなどのマルチ無線デバイスのための設計および動作の課題を提示する。
【発明の概要】
【課題を解決するための手段】
【０００４】
様々な実施形態は、マルチ加入者識別モジュール-マルチアクティブ通信デバイスにおける第1の通信アクティビティによって生じる第2の通信アクティビティにおけるデセンスを軽減するための方法、デバイス、および非一時的プロセッサ可読記憶媒体を提供する。
【０００５】
いくつかの実施形態の方法は、マルチSIMマルチアクティブ通信デバイス内で、第1の通信アクティビティと第2の通信アクティビティとの間の共存イベントを検出することに応答して、第2の通信アクティビティをデセンスしない第1の通信アクティビティの最大送信電力として、第1の通信アクティビティのためのデセンス電力しきい値を計算するステップと、第1の通信アクティビティのデータチャネル電力および制御チャネル電力の合計に等しい第1の通信アクティビティに関連付けられた総送信電力がデセンス電力しきい値を超えないように、マルチSIMマルチアクティブ通信デバイス内で、データチャネル電力および制御チャネル電力のうちの少なくとも一方を減少させるステップであって、制御チャネル電力が減少される前に、データチャネル電力がゼロに減少される、ステップとを含んでもよい。
【０００６】
いくつかの実施形態では、第1の通信アクティビティと第2の通信アクティビティとの間の共存イベントを検出することは、共存イベントが第1の通信アクティビティと第2の通信アクティビティとの間に発生しようとしていることを決定すること、および共存イベントが第1の通信アクティビティと第2の通信アクティビティとの間に発生していることを決定することのうちの一方を含んでもよい。
【０００７】
いくつかの実施形態では、第1の通信アクティビティのデータチャネル電力および制御チャネル電力のうちの少なくとも一方を減少させるステップは、デセンス電力しきい値が総送信電力未満であるかどうかを決定するステップと、デセンス電力しきい値が総送信電力未満であることを決定することに応答して、制御チャネル電力がデセンス電力しきい値を超えているかどうかを決定するステップと、制御チャネル電力がデセンス電力しきい値を超えていないことを決定することに応答して、総送信電力がデセンス電力しきい値を超えないように、データチャネル電力のみを減少させるステップとを含んでもよい。いくつかの実施形態の方法は、制御チャネル電力がデセンス電力しきい値を超えていることを決定することに応答して、制御チャネル電力をデセンス電力しきい値と等しくなるように減少させる前に、データチャネル電力をゼロにするステップをさらに含んでもよい。
【０００８】
いくつかの実施形態では、第1の通信アクティビティは、複数のデータチャネルに関連付けられてもよく、第1の通信アクティビティのデータチャネル電力および制御チャネル電力のうちの少なくとも一方を減少させるステップは、複数のデータチャネル内のデータチャネルを選択するステップと、総送信電力と選択されたデータチャネルのチャネル電力との間の差がデセンス電力しきい値を超えているかどうかを決定するステップと、差がデセンス電力しきい値を超えていないことを決定することに応答して、総送信電力がデセンス電力しきい値と等しくなるように、選択されたデータチャネルのチャネル電力を減少させるステップとを含んでもよい。いくつかの実施形態の方法は、差がデセンス電力しきい値を超えていることを決定することに応答して、選択されたデータチャネルのチャネル電力をゼロにするステップをさらに含んでもよい。
【０００９】
いくつかの実施形態では、デセンス電力しきい値を計算するステップ、および、第1の通信アクティビティに関連付けられた総送信電力がデセンス電力しきい値を超えないように、第1の通信アクティビティのデータチャネル電力および制御チャネル電力のうちの少なくとも一方を減少させるステップの各々は、第1の通信アクティビティの各アップリンク送信の間に生じてもよい。
【００１０】
いくつかの実施形態では、第1の通信アクティビティのためのデセンス電力しきい値を計算するステップは、複数の他の通信アクティビティをデセンスしない第1の通信アクティビティの最大送信電力として、第1の通信アクティビティのためのデセンス電力しきい値を計算するステップを含んでもよい。
【００１１】
様々な実施形態は、上記で説明した方法の動作を実行するように、プロセッサ実行可能命令を用いて構成されたマルチSIMマルチアクティブ通信デバイスを含んでもよい。
【００１２】
様々な実施形態は、上記で説明した方法の動作の機能を実行するための手段を有するマルチSIMマルチアクティブ通信デバイスを含んでもよい。
【００１３】
様々な実施形態は、マルチSIMマルチアクティブ通信デバイスのプロセッサに上記で説明した方法の動作を実行させるように構成されたプロセッサ実行可能命令が記憶された非一時的プロセッサ可読記憶媒体を含んでもよい。
【００１４】
本明細書に組み込まれ、本明細書の一部を構成する添付図面は、本発明の例示的な実施形態を示し、上記の一般的な説明および下記の詳細な説明とともに、本発明の機能を説明するのに役立つ。
【図面の簡単な説明】
【００１５】
【図１】様々な実施形態とともに使用するのに適したモバイルテレフォニネットワークの通信システムブロック図である。
【図２】様々な実施形態によるマルチSIMマルチアクティブ通信デバイスの構成要素ブロック図である。
【図３】様々な実施形態による、マルチSIMマルチアクティブ通信デバイスの異なる送信/受信チェーンの構成要素間の相互作用を示す構成要素ブロック図である。
【図４Ａ】様々な実施形態による、デセンス電力しきい値に基づいて、データチャネル送信電力、またはデータチャネル送信電力および制御チャネル送信電力を減少させることの例を示す送信電力グラフである。
【図４Ｂ】様々な実施形態による、デセンス電力しきい値に基づいて、データチャネル送信電力、またはデータチャネル送信電力および制御チャネル送信電力を減少させることの例を示す送信電力グラフである。
【図４Ｃ】様々な実施形態による、デセンス電力しきい値に基づいて、データチャネル送信電力、またはデータチャネル送信電力および制御チャネル送信電力を減少させることの例を示す送信電力グラフである。
【図５】様々な実施形態による、チャネルの送信電力に影響を及ぼすために、データチャネルおよび制御チャネルに送信電力利得を適用することを示す信号図である。
【図６】様々な実施形態による、アグレッササブスクリプションの総送信電力がデセンス電力しきい値を超えていることを決定することに応答して、データチャネルの送信電力および制御チャネルの送信電力のうちの少なくとも一方を減少させるための方法を示すプロセスフロー図である。
【図７】様々な実施形態による、総送信電力がデセンス電力しきい値を超えていないことを保証するために、複数のデータチャネル内の1つまたは複数のデータチャネルの送信電力を選択的に減少させるための方法を示すプロセスフロー図である。
【図８】様々な実施形態での仕様に適したマルチSIMマルチアクティブ通信デバイスの構成要素ブロック図である。
【発明を実施するための形態】
【００１６】
様々な実施形態を、添付図面を参照して詳細に説明する。可能なときには必ず、図面全体を通じて、同一のまたは同様の部分を指すのに同一の符号を使用する。特定の例および実装形態へと行われる言及は、説明を目的とし、本発明の範囲または特許請求の範囲を限定するものではない。
【００１７】
本明細書で使用される場合、「MSMA通信デバイス」という用語は、セルラー電話、スマートフォン、パーソナルまたはモバイルマルチメディアプレーヤ、携帯情報端末、ラップトップコンピュータ、パーソナルコンピュータ、タブレットコンピュータ、スマートブック、パームトップコンピュータ、ワイヤレス電子メール受信機、マルチメディアインターネット対応セルラー電話、ワイヤレスゲームコントローラ、および、複数のSIMと、プログラマブルプロセッサと、メモリと、少なくとも2つのモバイル通信ネットワークに同時に接続するための回路とを含む同様のパーソナル電子デバイスのいずれか1つまたはすべてを指す。様々な実施形態は、スマートフォンなどのモバイル通信デバイスにおいて有用であり得るので、そのようなデバイスは、様々な実施形態の説明において参照される。しかしながら、実施形態は、複数の別個のRFリソースを利用する複数のサブスクリプションを独立して維持することができる、DSDA通信デバイスなどの任意の電子デバイスにおいて有用であり得る。
【００１８】
本明細書で使用される場合、「SIM」、「SIMカード」、および「加入者識別モジュール」という用語は、集積回路であり得、またはリムーバブルカード内に埋め込まれ得、国際移動体加入者識別番号(IMSI(International Mobile Subscriber Identity))、関連するキー、ならびに/または、ネットワーク上のワイヤレスデバイスを識別および/もしくは認証し、ネットワークとの通信サービスを可能にするために使用される他の情報を記憶するメモリを指すために、交換可能に使用される。SIMに記憶された情報は、ワイヤレスデバイスが特定のネットワークとの特定の通信サービスのための通信リンクを確立することを可能にするので、SIMおよび通信ネットワーク、ならびに、そのネットワークによってサポートされるサービスおよびサブスクリプションは、互いに相関するので、「SIM」という用語はまた、本明細書では、特定のSIM内に記憶された情報によって関連付けられ、可能にされた通信サービスへの簡略的な参照(shorthand reference)として使用される。
【００１９】
上記で説明したように、MSMA通信デバイス上の1つまたは複数のサブスクリプションは、MSMA通信デバイス上で動作する他のサブスクリプションの性能に悪影響を及ぼす可能性がある。たとえば、DSDA通信デバイスは、DSDA通信デバイス内のビクティムサブスクリプションが同時に送信を受信しようとしている間、アグレッササブスクリプションが送信しようとしているとき、デバイス内干渉に悩まされる可能性がある。そのような「共存イベント」の間、アグレッササブスクリプションの送信は、ビクティムの送信を受信する能力に深刻な障害を引き起こす可能性がある。この干渉は、ブロッキング干渉、高調波、相互変調、ならびに、ビクティムによって受信される他の雑音および歪みの形態であり得る。そのような干渉は、ビクティムの受信機感度、音声通話品質、およびデータスループットを著しく低下させる可能性がある。これらの影響はまた、MSMA通信デバイスの低減したネットワーク容量をもたらす可能性がある。
【００２０】
さらに、サブスクリプションのアクティビティは、サブスクリプションが送信サイクルを停止し、受信サイクルを開始するとき、または、ビクティムサブスクリプションおよびアグレッササブスクリプションのバンド-チャネルの組合せが変化するときなど、MSMA通信デバイス上の動作の通常の過程で変化する可能性があり、アグレッササブスクリプションがビクティムサブスクリプションをデセンスする原因となる。そのような場合には、1回目のアグレッササブスクリプションは、2回目のビクティムサブスクリプションになることがあり、1回目のビクティムサブスクリプションは、同様に2回目または3回目のアグレッササブスクリプションになることがある。したがって、様々な実施形態は、主にアグレッササブスクリプションおよびビクティムサブスクリプションを参照して説明されるが、サブスクリプションは、一般に、アグレッサまたはビクティムとしてのサブスクリプションの役割が変更することができることを反映するために、第1の通信アクティビティおよび第2の通信アクティビティと呼ばれる。
【００２１】
ビクティムサブスクリプションのデセンスを軽減するための、MSMA通信デバイス上で実施される多くの従来の解決策では、MSMA通信デバイスは、ビクティムサブスクリプションが送信を受信している間、その送信電力を低下させるか、または送信を停止するようにアグレッササブスクリプションを構成する(すなわち、デバイスは、送信(「Tx」)ブランキングを実行するようにビクティムサブスクリプションを構成する)。これらの解決策の現在の実装では、アグレッササブスクリプションのデータチャネルおよび制御チャネルは、両方とも、区別なく、部分的にまたは完全に減少される。
【００２２】
制御チャネルは、モバイルネットワークとの良好な接続を維持するための重要な情報を通信するために使用される。たとえば、制御チャネルは、パイロット情報と、ネットワークから受信したシンボルを復号するためのトランスポートフォーマット統合インジケータ(「TFCI(Transport Format Combination Indicator)」)情報と、フィードバックインジケータ(「FIB(feedback indicator)」)と、電力制御情報(たとえば、トラフィック電力制御(「TPC(traffic power control)」)データ)とを含む。アグレッサの制御チャネルの送信電力が減少されたとき、アグレッササブスクリプションに関連付けられたモバイルネットワークは、パイロット情報の損失によるレイク受信機(rake receiver)における指の位置ずれ、TFCI情報の損失による連続するフレームの誤った復号、TPCの損失の結果として後続のフレームにおける電力制御の損失、などを経験する可能性がある。これらの影響の各々は、ネットワークからの後続の受信された情報の誤り確率を上昇させる可能性があり、アグレッササブスクリプションの全体のスループットを低下させる可能性がある。したがって、Txブランキングを利用するための現在の解決策は、ビクティムサブスクリプションのデセンスを減少させるのに効果的であるが、アグレッササブスクリプションの制御チャネルは、データチャネルに加えてブランキングされる/減少されるので、ビクティムの受信性能の改善は、しばしば、アグレッササブスクリプションの性能を犠牲にする。
【００２３】
さらに、モバイル通信デバイスにおけるいくつかの従来の実装は、モバイルコンピューティングデバイスが最大送信電力に達したとき、デバイスのデータチャネルおよび制御チャネルの電力を減少させるために、デバイスにスケーリング手順を適用することを含む(時には、「最大電力問題」と呼ばれる)。しかしながら、アグレッササブスクリプションは、最大電力で送信することなくビクティムサブスクリプションをデセンスする可能性があるので、最大電力問題に対する現在の解決策は、様々な実施形態において以下で説明するように、複数のRFリソースを含むMSMA通信デバイス上で生じる共存イベント中にビクティムサブスクリプションのデセンスを軽減することには関係がない。
【００２４】
モバイル通信デバイスにおける他の従来の実装は、データチャネルおよび制御チャネルのための異なるスケーリングファクタを適用することによって、最大電力問題を解決するために、モバイル通信デバイスのチャネル電力を減少させることを含む。しかしながら、これらの解決策は、スケーリングファクタが、モバイルコンピューティングデバイス上で使用するためのネットワークデバイス(たとえば、基地局またはネットワークデバイス)によって生成されることを開示する。具体的には、これらの解決策は、デバイスのデータについてモバイル通信デバイスから受信した電力情報を分析し、この分析に基づいてチャネルのための適切なスケーリングファクタを計算することをネットワークデバイスに要求する。対照的に、本開示で説明される様々な実施形態は、MSMA通信デバイス上でローカルに(すなわち、ネットワークデバイスまたは基地局などの外部ソースとどのような相互作用することもなく)データチャネルおよび制御チャネルの送信電力を調整する/減少させることができる。
【００２５】
したがって、要するに、様々な実施形態は、アグレッササブスクリプションの制御チャネルの送信電力が減少される前にアグレッササブスクリプションのデータチャネルの送信電力が減少される適用型かつ段階的なTxブランキング機構を実装することによって、ビクティムサブスクリプションのデセンスを管理するためのMSMA通信デバイス(たとえば、DSDA通信デバイス)において実施される方法を提供する。様々な実施形態では、ビクティムがデセンスされていることを決定することに応答して(すなわち、共存イベントを検出することに応答して)、MSMA通信デバイス上で動作するプロセッサは、アグレッサが1つまたは複数のビクティムサブスクリプションをデセンスすることなく送信し得る最大電力を示すデセンス電力しきい値を決定してもよい。プロセッサはまた、アグレッササブスクリプションのデータチャネルの送信電力を減少させてもよく、必要ならば、アグレッササブスクリプションの総送信電力がデセンス電力しきい値を超えないまで、アグレッササブスクリプションの制御チャネルの送信電力を減少させてもよい。したがって、様々な実施形態は、アグレッサのデータチャネル送信電力よりもアグレッサの制御チャネル送信電力を優先させることによって、アグレッササブスクリプションのスループットを著しく損なうことなく、ビクティムサブスクリプションの全体的な受信性能を維持することができる。
【００２６】
さらなる実施形態では、アグレッササブスクリプションは、複数のデータチャネルに関連付けられてもよく、MSMA通信デバイス上で実行するプロセッサは、アグレッサの総送信電力をデセンス電力しきい値に等しくなるように減少させるために、複数のデータチャネルのうちの1つまたは複数を選択的に減少させる/ゼロにすることができる。たとえば、プロセッサは、6つのデータチャネルのうちの2つをゼロにしてもよく、残りの4つのデータチャネルの送信電力を減少させなくてもよい。したがって、すべてのデータチャネルの性能に等しく悪影響を及ぼすのではなく、デバイスプロセッサは、他の利益のためにいくつかのデータチャネルの性能を犠牲にしてもよい。
【００２７】
様々な実施形態は、その一例が図1に示されている、少なくとも2つのモバイルテレフォニネットワークなどの様々な通信システム100内で実施され得る。第1のモバイルネットワーク102および第2のモバイルネットワーク104は、典型的には、各々、複数のセルラー基地局(たとえば、第1の基地局130および第2の基地局140)を含む。第1のMSMA通信デバイス110は、第1の基地局130へのセルラー接続132を介して、第1のモバイルネットワーク102と通信してもよい。第1のMSMA通信デバイス110はまた、第2の基地局140へのセルラー接続142を介して、第2のモバイルネットワーク104と通信してもよい。第1の基地局130は、ワイヤード接続134を介して第1のモバイルネットワーク102と通信してもよい。第2の基地局140は、ワイヤード接続144を介して第2モバイルネットワーク104と通信してもよい。
【００２８】
第2のMSMA通信デバイス120は、同様に、第1の基地局130へのセルラー接続132を介して、第1のモバイルネットワーク102と通信してもよい。第2のMSMA通信デバイス120は、第2の基地局140へのセルラー接続142を介して、第2のモバイルネットワーク104と通信してもよい。セルラー接続132および142は、4G、3G、CDMA、TDMA、WCDMA（登録商標）、GSM（登録商標）、および他のモバイルテレフォニ通信技術などの、双方向ワイヤレス通信リンクを介して行われてもよい。
【００２９】
MSMA通信デバイス110、120は、モバイルネットワーク102、104に接続されて示されているが、いくつかの実施形態(図示せず)では、MSMA通信デバイス110、120は、2つ以上のモバイルネットワークへの2つ以上のサブスクリプションを含んでもよく、上記で説明したものと同様の方法でこれらのサブスクリプションに接続してもよい。
【００３０】
いくつかの実施形態では、第1のMSMA通信デバイス110は、第1のMSMA通信デバイス110との接続で使用される周辺デバイス150とのワイヤレス接続152を確立してもよい。たとえば、第1のMSMA通信デバイス110は、Bluetooth(登録商標)対応パーソナルコンピューティングデバイス(たとえば、「スマートウォッチ」)とBluetooth（登録商標）リンクを介して通信してもよい。いくつかの実施形態では、第1のMSMA通信デバイス110は、Wi-Fi接続を介するなどして、ワイヤレスアクセスポイント160とのワイヤレス接続162を確立してもよい。ワイヤレスアクセスポイント160は、ワイヤード接続166を介してインターネット164または別のネットワークに接続するように構成されてもよい。
【００３１】
図示されていないが、第2のMSMA通信デバイス120は、同様に、ワイヤレスリンクを介して周辺デバイス150および/またはワイヤレスアクセスポイント160と接続するように構成されてもよい。
【００３２】
図2は、様々な実施形態を実施するのに適したMSMA通信デバイス200の機能ブロック図である。様々な実施形態によれば、MSMA通信デバイス200は、図1を参照して説明したMSMA通信デバイス110、120の1つまたは複数と同様であってもよい。MSMA通信デバイス200は、第1のSIMインターフェース202aを含んでもよく、第1のSIMインターフェース202aは、第1のサブスクリプションに関連付けられた第1の識別モジュールSIM-1 204aを受け入れてもよい。MSMA通信デバイス200はまた、第2のSIMインターフェース202bを含んでもよく、第2のSIMインターフェース202bは、第2のサブスクリプションに関連付けられた第2の識別モジュールSIM-2 204bを受け入れてもよい。
【００３３】
様々な実施形態におけるSIMは、SIMおよび/またはUSIMアプリケーションで構成され、GSM（登録商標）および/またはUMTSネットワークへのアクセスを可能にするユニバーサル集積回路カード(UICC:Universal Integrated Circuit Card)であってもよい。UICCはまた、電話帳または他のアプリケーションのためのストレージを提供してもよい。代替的に、CDMAネットワーク内で、SIMは、カード上のUICCリムーバブルユーザ識別情報モジュール(R-UIM:removable user identity module)またはCDMA加入者識別モジュール(CSIM:CDMA subscriber identity module)であり得る。SIMカードは、CPU、ROM、RAM、EEPROM、およびI/O回路を有してもよい。集積回路カード識別情報(ICCID:Integrated Circuit Card Identity)SIMシリアル番号は、識別のためにSIMカード上に印刷されてもよい。しかしながら、SIMは、MSMA通信デバイス200のメモリの一部の中に実装されてもよく、したがって、別個のまたは取り外し可能な回路、チップ、またはカードである必要はない。
【００３４】
様々な実施形態で使用されるSIMは、ユーザアカウント情報、IMSI、SIMアプリケーションツールキット(SAT:SIM application toolkit)コマンド、および他のネットワーク提供(provisioning)情報を記憶してもよく、同時に、ユーザの連絡先の電話帳データベースのための記憶空間を提供してもよい。ネットワーク提供情報の一部として、SIMは、SIMカードネットワークオペレータプロバイダを示すために、ホーム識別子(たとえば、システム識別番号(SID:System Identification Number)/ネットワーク識別番号(NID:Network Identification Number)ペア、ホームPLMN(HPLMN)コード、など)を記憶してもよい。
【００３５】
MSMA通信デバイス200は、コーダ/デコーダ(CODEC)208に結合され得る、汎用プロセッサ206などの、少なくとも1つのコントローラを含んでもよい。CODEC208は、次に、スピーカ210およびマイクロフォン212に結合されてもよい。汎用プロセッサ206はまた、少なくとも1つのメモリ214に結合される場合がある。メモリ214は、プロセッサ実行可能命令を記憶する非一時的プロセッサ可読記憶媒体であってもよい。たとえば、これらの命令は、対応するベースバンドRFリソースチェーンを介して、第1の加入または第2の加入に関する通信データを経路指定することを含み得る。
【００３６】
メモリ214は、オペレーティングシステム(OS)、ならびにユーザアプリケーションソフトウェアおよび実行可能命令を記憶することができる。メモリ214は、アレイデータ構造など、アプリケーションデータを記憶することもできる。
【００３７】
汎用プロセッサ206およびメモリ214は、各々、少なくとも1つのベースバンドモデムプロセッサ216に結合されてもよい。MSMA通信デバイス200内の各SIM(たとえば、SIM-1 204aおよびSIM-2 204b)は、ベースバンドRFリソースチェーンに関連付けられてもよい。ベースバンドRFリソースチェーンは、ベースバンドモデムプロセッサ216を含んでもよく、ベースバンドモデムプロセッサ216は、少なくとも1つのSIM上の通信のためのベースバンド/モデム機能を実行してもよく、本明細書では一般にRFリソース218a、218bと呼ばれる、1つまたは複数の増幅器および無線を含んでもよい。いくつかの実施形態では、ベースバンドRFリソースチェーンは、ベースバンドモデムプロセッサ216(すなわち、MSMA通信デバイス200上のすべてのSIMのためのベースバンド/モデム機能を実行する単一のデバイス)を共有してもよい。他の実施形態では、各ベースバンドRFリソースチェーンは、物理的または論理的に別個のベースバンドプロセッサ(たとえば、BB1、BB2)を含み得る。
【００３８】
RFリソース218a、218bは、各々、MSMA通信デバイス200の関連するSIMのための送信/受信機能を実行するトランシーバであってもよい。RFリソース218a、218bは、別個の送信および受信回路を含んでもよく、または、送信機機能および受信機機能を兼ね備えたトランシーバを含んでもよい。RFリソース218a、218bは、各々、ワイヤレスアンテナ(たとえば、第1のワイヤレスアンテナ220aまたは第2のワイヤレスアンテナ220b)に結合され得る。RFリソース218a、218bはまた、ベースバンドモデムプロセッサ216に結合され得る。
【００３９】
いくつかの実施形態では、汎用プロセッサ206、メモリ214、ベースバンドプロセッサ216、およびRFリソース218a、218bは、システムオンチップとしてMSMA通信デバイス200内に含まれてもよい。いくつかの実施形態では、第1および第2のSIM204a、204b、ならびにそれらの対応するインターフェース202a、202bは、システムオンチップの外部にあってもよい。さらに、様々な入力および出力デバイスが、インターフェースまたはコントローラなど、システムオンチップ上の構成要素に結合され得る。MSMA通信デバイス200内で使用するのに適した例示的なユーザ入力構成要素は、限定はしないが、キーパッド224、タッチスクリーンディスプレイ226、およびマイクロフォン212を含んでもよい。
【００４０】
いくつかの実施形態では、キーパッド224、タッチスクリーンディスプレイ226、マイクロフォン212、またはそれらの組合せは、出呼を開始するための要求を受信する機能を実行し得る。たとえば、タッチスクリーンディスプレイ226は、連絡先リストから連絡先の選択を受信すること、または電話番号を受信することができる。別の例では、タッチスクリーンディスプレイ226およびマイクロフォン212のいずれか、または両方は、出呼を開始するための要求を受信する機能を実行し得る。たとえば、タッチスクリーンディスプレイ226は、連絡先リストから連絡先の選択を受信すること、または電話番号を受信することができる。別の例として、出呼を開始するための要求は、マイクロフォン212を介して受信された音声コマンドの形をとり得る。インターフェースは、当該技術分野において周知であるように、MSMA通信デバイス200内の様々なソフトウェアモジュールおよび機能の間に、それらの間の通信を可能にするために設けられてもよい。
【００４１】
いくつかの実施形態(図示せず)では、MSMA通信デバイス200は、数ある中で、追加のSIMカード、SIMインターフェース、追加のSIMカードに関連付けられた複数のRFリソース、および、追加のモバイルネットワークに接続するための追加のアンテナを含んでもよい。
【００４２】
MSMA通信デバイス200は、オプションで、RFリソース218a、218bの利用を管理および/またはスケジュールするように構成された共存管理ユニット230を含んでもよい。たとえば、共存管理ユニット230は、ビクティムサブスクリプションのスケジュールされた受信アクティビティの間、アグレッササブスクリプションを、そのデータチャネル上でTxブランキングを実行するように構成してもよい。特定の実施形態では、共存管理ユニット230は、汎用プロセッサ206内に実装されてもよい。いくつかの実施形態では、共存管理ユニット230は、別個の(すなわち、汎用プロセッサ206とは別の)ハードウェア構成要素として実装されてもよい。いくつかの実施形態では、共存管理ユニット230は、メモリ214内に記憶され、汎用プロセッサ206によって実行されるソフトウェアアプリケーションとして実装されてもよい。
【００４３】
図3は、様々な実施形態による、図1〜図2を参照して説明したようなMSMA通信デバイス200上の別個のRFリソースにおける送信および受信構成要素のブロック図300を示す。図1〜図3を参照し、たとえば、送信機302は、RFリソース218aの一部であってもよく、受信機304は、RFリソース218bの一部であってもよい。具体的な実施形態では、送信機302は、送信すべきデータをフォーマットし、符号化し、インタリーブすることができるデータプロセッサ306を含んでもよい。送信機302は、ガウス型最小偏移変調(GMSK:Gaussian minimum shift keying)を実行することなどによって、符号化データで搬送波信号を変調する変調器308を含んでもよい。1つまたは複数の送信回路310は、送信するためのRF変調信号を生成するために、(たとえば、フィルタリングし、増幅し、アップコンバートすることによって)変調信号を調整してもよい。RF変調信号は、たとえば、第1のワイヤレスアンテナ220aを介して第1の基地局130に送信されてもよい。
【００４４】
受信機304では、第2のワイヤレスアンテナ220bは、第2の基地局140からRF変調信号を受信してもよい。しかしながら、第2のワイヤレスアンテナ220bはまた、送信機302からいくらかのRFシグナリング330を受信する可能性があり、RFシグナリング330は、最終的に、第2の基地局140から受信した所望の信号と競合する可能性がある。1つまたは複数の受信回路316は、受信したRF変調信号を調整(たとえば、フィルタリング、増幅、およびダウンコンバート)し、調整された信号をデジタル化し、復調器318にサンプルを提供してもよい。復調器318は、変調搬送波から元の情報担持信号を抽出してもよく、データプロセッサ320に復号信号を提供してもよい。データプロセッサ320は、元の復号データを得るために、信号をデインタリーブし、復号してもよく、MSMA通信デバイス200内の他の構成要素に復号データを提供してもよい。送信機302および受信機304の動作は、ベースバンドプロセッサ216などのプロセッサによって制御されてもよい。様々な実施形態では、送信機302および受信機304の各々は、それらの対応する受信回路および送信回路(図示せず)から分離されてもよい回路として実装されてもよい。代替的には、送信機302および受信機304は、それぞれ、対応する受信回路および送信回路と(すなわち、SIM-1 204aおよびSIM-2 204bに関連付けられたトランシーバとして)組み合わされてもよい。
【００４５】
受信機デセンスは、アップリンク上で送信された第1のサブスクリプションに関連付けられたデータ(たとえば、RFシグナリング330)が、第2のサブスクリプションに関連付けられ得る異なる送信/受信チェーン上の受信アクティビティと干渉するとき、発生する可能性がある。所望の信号は、破損し、復号するのが困難または不可能になる可能性がある。さらに、送信機302からの雑音は、周囲のセルの信号強度を測定するパワーモニタ(図示せず)によって検出される可能性があり、これは、MSMA通信デバイス200が近くのセルサイトの存在を誤って決定する原因となる可能性がある。
【００４６】
しかしながら、ビクティムデセンスを減少させるためにアグレッササブスクリプションの制御チャネルを減少させる/ブランキングすることは、アグレッササブスクリプションのスループットおよび性能を大幅に低下させる可能性がある。状況が許すとき、これを防止するために、様々な実施形態では、アグレッササブスクリプションは、(たとえば図4A〜図4Cを参照して)以下でさらに説明するように、アグレッササブスクリプションの総送信電力がデセンス電力しきい値を超えないことを保証するために、その制御チャネルを減少させる/ブランキングする前に、そのデータチャネルを減少させる/ブランキングするように構成されてもよい。
【００４７】
図示のように、図4A〜図4Cは、縦軸(すなわち、送信電力軸402)上に表されるように、アグレッササブスクリプションのデータチャネル408および制御チャネル406の送信電力値をデセンス電力しきい値404と比較するグラフ400、425、450である。上記で説明したように、デセンス電力しきい値404は、ビクティムをデセンスすることなく(または、特定の許容範囲を超えてビクティムをデセンスすることなく)アグレッササブスクリプションが送信することができる最大電力を表すことができる。
【００４８】
図4Aである例示的なグラフ400に示すように、デセンス電力しきい値404は、アグレッササブスクリプションの総送信電力416aよりも大きい送信電力しきい値410aに対応してもよい。いくつかの実施形態では、総送信電力416aは、制御チャネル406の送信電力412aとデータチャネル408の送信電力414aとの合計であってもよい。ビクティムサブスクリプションは、デセンスされていない(または、許容限度を超えてデセンスされていない)ので、MSMA通信デバイス上で動作するプロセッサ(たとえば、汎用プロセッサ206、ベースバンドモデムプロセッサ216、共存管理ユニット230、別個のコントローラ、および/または、図2を参照して上記で説明したものと同様のもの)は、データチャネル408の送信電力414aまたは制御チャネル406の送信電力412aのいずれかを減少させる必要はない可能性がある。
【００４９】
しかしながら、デバイスプロセッサは、図4Bである例示的なグラフ425に示すように、総送信電力416bがデセンス電力しきい値404の送信電力しきい値410bを超えたとき、アグレッササブスクリプションの総送信電力416bを減少させる必要がある可能性がある。いくつかの実施形態では、デバイスプロセッサは、データチャネル408の送信電力414bが、総送信電力416bを送信電力しきい値410bに等しくなるように減少させることができるかどうかを決定してもよい。デバイスプロセッサは、アグレッササブスクリプションの総送信電力416bが送信電力しきい値410bを超えないことを保証するために、データチャネル408の送信電力414bが特定の量(すなわち、送信電力減少値418)だけ減少され得ることを決定してもよい。いくつかの実施形態では、デバイスプロセッサは、データチャネル408の送信電力414bのみを減少させることによって総送信電力416bが送信電力しきい値410bを超えるのを避けることが可能であるとき、制御チャネル406の送信電力412bを減少させなくてもよい。
【００５０】
図4Cである例示的なグラフ450に示すように、デセンス電力しきい値404の送信電力しきい値410cは、制御チャネルの送信電力412cとデータチャネル408の送信電力414cとの合計(すなわち、総送信電力416c)よりもかなり小さくてもよい。たとえば、デセンス電力しきい値404の送信電力しきい値410cは、ビクティムサブスクリプションに実行される特に敏感または重要な受信アクティビティ(たとえば、緊急呼を受信する)に適応するために、低くてもよい。別の例として、送信電力しきい値410cは、同じままであってもよく、またはわずかに変化してもよいが、制御チャネル406の送信電力412cおよび/またはデータチャネル408の送信電力414cは、MSMA通信デバイスが、アグレッササブスクリプションが現在在圏(camp)している基地局からより遠くに移動するにつれて、アグレッサのモバイルネットワークとの良好な接続を維持するために増加してもよい。
【００５１】
デセンス電力しきい値404の送信電力しきい値410cが総送信電力416c未満であることを決定することに応答して、デバイスプロセッサは、本明細書では送信電力減少値420と呼ばれる特定の量だけデータチャネル408の送信電力414cを減少させてもよい。図4Cに示す例では、送信電力減少値420だけ総送信電力416cを減少させることは、ビクティムサブスクリプションがデセンスされるのを防止するのに十分ではない可能性がある。これは、データチャネル408の送信電力414cがゼロにされたときでも、制御チャネル406の送信電力412cが依然として送信電力しきい値410cを超える状況で発生する可能性がある。そのような状況に対処するために、データチャネル408の送信電力414cをゼロにすることが、総送信電力416cがデセンス電力しきい値404の送信電力しきい値410cを超えないことを保証するには十分でないことを決定することに応答して、デバイスプロセッサは、総送信電力416cが送信電力しきい値410cを超えないように、本明細書では送信電力減少値422と呼ばれる量だけ制御チャネル406の送信電力412cを減少させてもよい。したがって、いくつかの実施形態では、総送信電力416cは、デバイスプロセッサがデータチャネル408の送信電力414cをゼロにすることによって総送信電力416cを減少させた後、送信電力減少値422だけ制御チャネル406の送信電力412cを減少させることによって、送信電力しきい値410cを超えないように調整されてもよい。
【００５２】
図5は、いくつかの実施形態による、MSMA通信デバイス(たとえば、図2〜図3を参照して上記で説明したMSMA通信デバイス200)上で動作する例示的なUMTSアグレッササブスクリプションのデータチャネルおよび制御チャネルの同相および直交位相(「IQ」)アップリンク変調に関するシグナリング図500を示す。図5に示すように、MSMA通信デバイス上で動作するデバイスプロセッサ(たとえば、図2を参照して上記で説明したように、汎用プロセッサ206、共存管理ユニット230、またはベースバンドモデムプロセッサ216)は、公知の技術を使用して「同相」データチャネル508(「Ichannel」)を生成するために、乗算器506において、アグレッササブスクリプションの専用物理データチャネル502(「DPDCH」)にデータチャネルチャネル化コード504(「Cd」)を適用してもよい。アグレッササブスクリプションの同相データチャネル508は、全または最大送信電力550(「PDPDCH」)を有してもよい。
【００５３】
上記で説明したように、アグレッササブスクリプションの総送信電力(すなわち、アグレッササブスクリプションのデータチャネルおよび制御チャネルの送信電力の合計)は、アグレッササブスクリプションの送信が1つまたは複数のビクティムサブスクリプションをデセンスする原因となる可能性があり、それに応答して、デバイスプロセッサは、最初に、アグレッササブスクリプションのデータチャネルの送信電力を最初に減少させることによって、そのようなデセンスを防止することを試みてもよい。したがって、共存イベント中に、デバイスプロセッサは、データチャネル利得510を乗じた最大送信電力550に等しい調整された送信電力552(「PDATA」)(すなわち、「PDATA=PDPDCH*βd」)を有する調整された同相データチャネル514を生成するために、乗算器512において最大送信電力550にデータチャネル利得510(すなわち、βd)を適用することによって、同相データチャネル508の最大送信電力550を調整してもよい/減少させてもよい。たとえば、デバイスプロセッサは、「0.8」に等しいデータチャネル利得を適用することによって、同相データチャネル508の最大送信電力550を80%減少させてもよい。
【００５４】
アグレッササブスクリプションが複数のデータチャネルに関連付けられたいくつかの実施形態では、デバイスプロセッサは、複数のデータチャネルの各々のためのチャネル化電力を均一に調整する/減少させるために、複数のデータチャネルの各々に同じデータチャネル利得510を適用してもよい。いくつかの実施形態では、デバイスプロセッサは、いくつかのデータチャネルのチャネル化電力をゼロにする/減少させるが、他のデータチャネルのチャネル化電力をゼロにしない/減少させないような、異なるデータチャネル利得を複数のデータチャネルのうちの1つまたは複数に選択的に適用してもよい。
【００５５】
デバイスプロセッサは、最大または全送信電力556(「PDPCCH」)を有する「直交位相」制御チャネル522(「Qchannel」)を生成するために、乗算器518においてアグレッササブスクリプション専用物理制御チャネル516(「PDCCH」)に制御チャネルチャネル化コード520(「Cc」)を適用してもよい。
【００５６】
同相データチャネル508を参照して説明したものと同様に、デバイスプロセッサは、同相データチャネル508の最大送信電力550をゼロにすることが、ビクティムサブスクリプションがデセンスされるのを防止するには不十分であることを決定することに応答して、直交位相制御チャネル522の最大送信電力556を調整してもよい/減少させてもよい。したがって、この決定に基づいて、デバイスプロセッサは、上記で説明したように、デセンス電力しきい値を超えない調整された送信電力558(「PCTRL」)を有する調整された直交位相制御チャネル528を生成するために、乗算器526において直交位相制御チャネル522の最大送信電力556に制御チャネル利得524(すなわち、「βc」)を適用してもよい。
【００５７】
デバイスプロセッサは、さらに、公知の技術を使用してスケーリングされた直交位相制御チャネル534を生成するために、乗算器532において、スケーリングされた値530(「j」)によって、調整された直交位相制御チャネル528を調整してもよい。デバイスプロセッサはまた、「I+j*Q」として図5に示す合成チャネル538を生成するために、加算器536において、スケーリングされた直交位相制御チャネル534を、調整された同相データチャネル514と組み合わせてもよい。いくつかの実施形態では、合成チャネル538は、調整された同相データチャネル514の調整された送信電力552と、調整された直交位相制御チャネル528の調整された送信電力558との和に等しい総送信電力560(「PTX」)(すなわち、「PTX=PCTRL+PDATA」)を有してもよい。
【００５８】
したがって、様々な実施形態では、デバイスプロセッサは、同相データチャネルの最大送信電力550を調整する/減少させることによって、または、同相データチャネル508の最大送信電力550と直交位相制御チャネル522の最大送信電力556の両方を、これらのチャネル508、522が互いに合成/多重化される前に調整する/減少させることによって、総送信電力560がデセンスしきい値未満であることを保証してもよい。
【００５９】
デバイスプロセッサは、公知の技術を使用してスクランブルされたチャネル544を生成するために、加算器542において、合成チャネル538に(図5中で「Slong, nまたはSshort, n」とラベル付けされた)スクランブリングコード540を適用してもよい。デバイスプロセッサはまた、公知の方法を使用して、スクランブルされたチャネル544にオーバージエアで送信させてもよい。
【００６０】
図6は、いくつかの実施形態による、アグレッササブスクリプションがビクティムサブスクリプションをデセンスしていることを決定することに応答して、データチャネルの送信電力のみを減少させる、または、アグレッササブスクリプションのデータチャネルの送信電力と制御チャネルの送信電力の両方を減少させるための、MSMA通信デバイス(たとえば、図2を参照して上記で説明したように、汎用プロセッサ206、共存管理ユニット230、またはベースバンドモデムプロセッサ216)上で実行するプロセッサによって実施され得る方法600を示す。図1〜図6を参照すると、デバイスプロセッサは、ブロック602におけるMSMA通信デバイスの電源投入に応答して方法600の動作を実行することを開始してもよい。
【００６１】
決定ブロック604では、デバイスプロセッサは、共存イベントがアグレッササブスクリプションとビクティムサブスクリプションとの間で発生しているかどうかを決定してもよい。上記で説明したように、共存イベントは、アグレッササブスクリプションの送信がビクティムサブスクリプションの受信アクティビティおよび/または性能をデセンスするか、または他の方法で干渉するときに発生する可能性がある。いくつかの実施形態では、デバイスプロセッサは、決定ブロック604において、共存イベントが発生することになるか、または発生しようとしているかどうかを決定してもよい。そのような実施形態では、デバイスプロセッサは、(たとえば、アグレッサの送信パターンおよび/もしくはビクティムの受信スケジュールに基づいて、ならびに/またはアグレッササブスクリプションおよびビクティムサブスクリプションのバンドチャネルの組合せに基づいて)ビクティムサブスクリプションがデセンスの危険にさらされているときを先制して識別してもよく、既に発生しているデセンスを軽減する代わりに、ビクティムのデセンスを防止するために、以下の動作を実行してもよい。
【００６２】
アグレッササブスクリプションとビクティムサブスクリプションとの間で共存イベントが発生していないか、または発生しようとしていないことを決定すること(すなわち、決定ブロック604=「No」)に応答して、デバイスプロセッサは、共存イベントがアグレッササブスクリプションとビクティムサブスクリプションとの間で生じていないことをデバイスプロセッサが決定するまで、決定ブロック604における動作を繰り返してもよい。言い換えれば、デバイスプロセッサは、サブスクリプションが別のサブスクリプションをデセンスしない、またはデセンスしようとしていない限り、サブスクリプションのデータチャネルまたは制御チャネルの送信電力を減少させなくてもよい。
【００６３】
アグレッササブスクリプションとビクティムサブスクリプションとの間で共存イベントが発生しているか、または発生しようとしていることを決定すること(すなわち、決定ブロック604=「Yes」)に応答して、デバイスプロセッサは、ブロック606において、許容量を超えてビクティムサブスクリプションをデセンスすることなくアグレッササブスクリプションが送信することができる最大電力を計算することなどによって、アグレッササブスクリプションのためのデセンス電力しきい値を計算してもよい。いくつかの実施形態では、デバイスプロセッサは、ビクティムサブスクリプションの受信アクティビティおよび/またはアグレッササブスクリプションの送信アクティビティの優先度に基づいて、デセンス電力しきい値を動的に設定してもよい。たとえば、デセンス電力しきい値は、ビクティムが重大なまたは重要な受信アクティビティを実行している(たとえば、緊急呼を受信しているまたは緊急呼をかけている)とき、比較的高い値であってもよいが、デバイスプロセッサは、ビクティムサブスクリプションがより低い優先度の受信アクティビティを現在実行していることを決定することに応答して、デセンス電力しきい値をより低くしてもよい。
【００６４】
いくつかの実施形態では、共存イベント中、アグレッササブスクリプションの送信によってデセンスされる複数のビクティムサブスクリプションが存在する可能性がある。そのような実施形態では、デセンス電力しきい値は、共存イベント中、受信アクティビティを実行する複数のビクティムサブスクリプションを説明するアグレッササブスクリプションのための送信電力制限を表してもよい。言い換えれば、デバイスプロセッサは、アグレッサが複数のビクティムのうちの1つまたは複数をデセンスしないことを保証するために、アグレッササブスクリプションの総送信電力をデセンス電力しきい値と比較してもよい。
【００６５】
いくつかの実施形態では、複数のアグレッササブスクリプションは、共存イベント中、1つまたは複数のビクティムサブスクリプションをデセンスする可能性がある。そのような実施形態では、各アグレッササブスクリプションの総送信電力は、アグレッササブスクリプションの組み合わされた送信アクティビティが1つまたは複数のビクティムサブスクリプション(すなわち、複数の他の通信アクティビティ)をデセンスしないことを保証するデセンス電力しきい値(たとえば、すべてのアグレッササブスクリプションに適合するしきい値、または各アグレッササブスクリプションのための特別に適合されたしきい値)によって制限されてもよい。
【００６６】
ブロック608では、デバイスプロセッサは、アグレッササブスクリプションの制御チャネル電力とデータチャネル電力の両方を決定してもよい。たとえば、説明したように、制御チャネル電力は、チャネル化の後の、しかし、制御チャネル利得(たとえば、制御チャネル利得524または「βc」)を適用する前の、アグレッササブスクリプションの制御チャネルの送信電力であってもよい。同様に、データチャネル電力は、チャネル化の後の、データチャネル利得乗数(たとえば、データチャネル利得510または「βd」)を適用する前の、アグレッササブスクリプションの1つまたは複数のデータチャネルの送信電力であってもよい。言い換えれば、制御チャネル電力およびデータチャネル電力は、これらのチャネルが多重化され、オーバージエアで出力される前に、それぞれ、制御チャネルおよびデータチャネルの最大可能送信電力を反映してもよい。ビクティムサブスクリプションの観点から制御チャネルおよびデータチャネルの最大許容送信電力を決定することによって、デバイスプロセッサは、以下でさらに説明するように、データチャネルの送信電力、またはデータチャネルおよび制御チャネルの送信電力が減少されなければならない程度を決定することができてもよい。
【００６７】
ブロック610では、デバイスプロセッサは、ブロック608で決定されるように、かつ、(たとえば、図5を参照して)上記で説明したように、データチャネル電力および制御チャネル電力に基づいて、アグレッササブスクリプションの総送信電力を決定してもよい。いくつかの実施形態では、総送信電力は、データチャネル電力と制御チャネル電力との合計に等しくてもよい。
【００６８】
決定ブロック612では、デバイスプロセッサは、ブロック606で計算されたデセンス電力しきい値が、ブロック610で決定されるような総送信電力未満であるかどうかを決定してもよい。いくつかの実施形態では、デバイスプロセッサは、アグレッササブスクリプションがビクティムサブスクリプションをデセンスしているかどうかを決定するために、アグレッササブスクリプションの総送信電力をデセンス電力しきい値と比較してもよい。
【００６９】
デセンス電力しきい値が総送信電力を超えているかまたは総送信電力と等しいことを決定すること(すなわち、決定ブロック612=「No」)に応答して、デバイスプロセッサは、アグレッササブスクリプションのデータチャネル電力または制御チャネル電力のどちらも減少させなくてもよく、下記で説明するように、決定ブロック622において方法600の動作を実行し続けてもよい。したがって、データチャネルおよび制御チャネルがビクティムサブスクリプションをデセンスすることなく最大電力(すなわち、全許容利得)で送信され得ることを決定することに応答して、デバイスプロセッサは、アグレッササブスクリプションのデータチャネル電力または制御チャネル電力のどちらも減少させなくてもよい。
【００７０】
デセンス電力しきい値が総送信電力未満であることを決定すること(すなわち、決定ブロック612=「Yes」)に応答して、デバイスプロセッサは、ブロック608で決定された制御チャネル電力がブロック606で決定されたデセンス電力しきい値を超えているかどうかを決定してもよい(決定ブロック614)。言い換えれば、決定ブロック612でアグレッササブスクリプションがビクティムサブスクリプションをデセンスしていることを決定することに応答して、デバイスプロセッサは、データチャネル電力のみを(すなわち、制御チャネル電力を減少させずに)減少させることが、アグレッササブスクリプションがビクティムサブスクリプションをデセンスすることを防止するのに十分であるかどうかを決定してもよい。
【００７１】
制御チャネル電力が送信しきい値を超えていないことを決定すること(すなわち、決定ブロック614=「No」)に応答して、ブロック616において、デバイスプロセッサは、総送信電力がデセンス電力しきい値を超えないまで、データチャネル電力を減少させてもよい。いくつかの実施形態では、デバイスプロセッサは、(たとえば、図4Bを参照して)本開示で説明したように、総送信電力(すなわち、制御チャネル電力と減少されたデータチャネル電力との合計)がデセンス電力しきい値を超えないまで、データチャネル電力を減少させてもよく、それによって、アグレッサの送信が許容量を超えてビクティムサブスクリプションをデセンスしないことを保証する。さらに、デバイスプロセッサは、制御チャネルの送信電力を減少させなくてもよい(すなわち、制御チャネルは、最大許容利得で送信されてもよい)。いくつかの実施形態では、デバイスプロセッサは、(たとえば、図5を参照して説明したように)チャネル化後に、データチャネル電力にデータチャネル利得(たとえば、データチャネル利得510または「βd」)を適用することによって、データチャネル電力を減少させてもよい。したがって、データチャネル電力を減少させ、制御チャネル電力を減少させないことによって、ビクティムサブスクリプションは、許容し得ないレベルのデセンスを回避することができ、アグレッササブスクリプションは、そのモバイルネットワークとの十分なスループットおよび接続を維持することができる。
【００７２】
いくつかの実施形態では、アグレッササブスクリプションは、複数のデータチャネルを有してもよい。複数のデータチャネルの各々は、別個の送信電力に関連付けられてもよく、複数のデータチャネルは、並列に送信されてもよい。いくつかの実施形態では、ブロック616において、デバイスプロセッサは、複数のデータチャネルの各々の送信電力を等しく減少させてもよい。たとえば、デバイスプロセッサは、アグレッササブスクリプションの総送信電力がデセンス電力しきい値を超えないことを保証するために、複数のデータチャネルの集合的な送信電力が5%減少される必要があることを計算してもよく、その場合、デバイスプロセッサは、複数のデータチャネルの各々を5%減少させてもよい。いくつかの実施形態では、(たとえば、図7を参照して)本開示でさらに説明するように、デバイスプロセッサは、他のデータチャネルを減少させることなく、複数のデータチャネルのうちの1つまたは複数を選択的に減少させてもよい。
【００７３】
デバイスプロセッサは、以下でさらに説明するように、決定ブロック622において方法600の動作を実行し続けてもよい。
【００７４】
制御チャネル電力がデセンス電力しきい値を超えていることを決定すること(すなわち、決定ブロック614=「Yes」)に応答して、デバイスプロセッサは、ブロック620で制御チャネル電力を減少させる前に、ブロック618でデータチャネルをゼロにしてもよい。制御チャネル電力がデセンス電力しきい値を超えているとき、デバイスプロセッサは、デセンス電力しきい値よりも上のデセンスをビクティムに受けさせることなく、可能な最大電力を制御チャネルに与えるために、制御チャネル電力を減少させる前に、データチャネルを完全に減少させてもよい。たとえば、デバイスプロセッサは、(たとえば、図5を参照して)本開示で説明するように、チャネル化の後、データチャネル電力にゼロデータチャネル利得(すなわち、βd=0)を適用してもよい。
【００７５】
ブロック620では、デバイスプロセッサは、制御チャネル電力がデセンス電力しきい値を超えないことを保証するために、制御チャネル電力を減少させてもよい。たとえば、デバイスプロセッサは、(たとえば、図5を参照して)本開示で説明するように、チャネル化の後、制御チャネル電力に制御チャネル利得(すなわち、βc)を適用することによって、(たとえば、図4Cを参照して説明したように)アグレッサの制御チャネル電力を、デセンス電力しきい値に等しくなるようにしてもよい。
【００７６】
デセンス電力しきい値が総送信電力を超えていることを決定すること(すなわち、決定ブロック612=「Yes」)に応答して、ブロック616でデータチャネル電力を減少させることに応答して、または、ブロック620で制御チャネル電力を減少させることに応答して、決定ブロック622において、デバイスプロセッサは、共存イベントが終了したかどうかを決定してもよい。いくつかの実施形態では、決定ブロック622において、デバイスプロセッサは、ビクティムサブスクリプションが依然としてデセンスの危険にさらされているかどうかを決定してもよい。たとえば、共存イベントは、ビクティムがアグレッサの送信によってデセンスされる可能性がある受信アクティビティを実行し続けているとき、進行中である可能性がある。別の例では、共存イベントは、ビクティムサブスクリプションが受信アクティビティをもはや実行していないとき、アグレッササブスクリプションが送信を終了しているとき、または、ビクティムがもはやデセンスの危険にさらされていないように、アグレッササブスクリプションおよびビクティムサブスクリプションのバンドチャネルの組合せが変更されたとき、終了してもよい。
【００７７】
共存イベントが終了していないことを決定すること(すなわち、決定ブロック622=「No」)に応答して、デバイスプロセッサは、ブロック606においてアグレッササブスクリプションのためのデセンス電力しきい値を再計算することによって、ループ内で上記で説明した動作を繰り返してもよい。いくつかの実施形態では、共存イベントが進行中である間、デバイスプロセッサは、各アップリンク送信サイクルについて1度、上記の動作を繰り返してもよい。たとえば、ユニバーサルモバイル通信システム(「UMTS:Universal Mobile Telecommunications System」)を利用するアグレッササブスクリプションについて、デバイスプロセッサは、共存イベントが進行中である間、アグレッササブスクリプションのために上記の動作を10ミリ秒ごとに繰り返してもよい。
【００７８】
共存イベントが終了していることを決定すること(すなわち、決定ブロック622=「Yes」)に応答して、ブロック624において、デバイスプロセッサは、通常の動作を再開するようにアグレッササブスクリプションを構成してもよい。いくつかの実施形態では、共存イベントが終わった(すなわち、ビクティムサブスクリプションをデセンスする危険性がない)ので、アグレッササブスクリプションのデータチャネルおよび制御チャネルの送信電力は、もはや減少されなくてもよい。デバイスプロセッサは、決定ブロック604において、別の共存イベントがアグレッササブスクリプションとビクティムサブスクリプションとの間で発生しているかどうかを決定することによって、ループ内で上記の動作を繰り返してもよい。
【００７９】
図7は、様々な実施形態による、1つまたは複数のデータチャネルの送信電力を減少させるための、MSMA通信デバイス上で実行するプロセッサ(たとえば、図2を参照して上記で説明したように、汎用プロセッサ206、共存管理ユニット230、またはベースバンドモデムプロセッサ216)によって実施され得る方法700を示す。方法700の動作は、図6を参照して説明した方法600のブロック616で実行される動作のいくつかの実施形態を実施する。したがって、図1〜図7を参照すると、デバイスプロセッサは、制御チャネル電力がデセンス電力しきい値を超えていないこと(すなわち、決定ブロック614=「No」)に応答して、方法700の動作を実行することを開始してもよい。
【００８０】
(たとえば、図6を参照して)説明したように、アグレッササブスクリプションは、並列に送信される複数のデータチャネルと、制御チャネルとに関連付けられてもよく、方法600のブロック610で決定される総送信電力は、複数のデータチャネルの各々の送信電力と、制御チャネルの送信電力とを含んでもよい。
【００８１】
いくつかの実施形態では、デバイスプロセッサは、総送信電力がデセンス電力しきい値を超えないことを保証するために、複数のデータチャネルの各々の送信電力を等しい量だけ減少させてもよい。データチャネルの送信電力を均一に減少させることは、複数のデータチャネルの各々が同じ優先度を有する状況において有効である可能性がある。たとえば、複数のデータチャネルの各々は、高い優先度のデータを送信するために使用される可能性がある。したがって、上記で説明したように、総送信電力がデセンス電力しきい値を超えないことを確実にするために、データチャネルが減少されなければならない間、影響は、複数のデータチャネル全体で均等に適用される。
【００８２】
いくつかの実施形態では、デバイスプロセッサは、複数のデータチャネルのうちのいくつかの送信電力を減少させてもよく、他のデータチャネルの送信電力を減少させなくてもよい。たとえば、1つまたは複数のデータチャネルは、他のデータチャネルよりも高い優先度のデータを送信してもよく、デバイスプロセッサは、より低い優先度のデータチャネルを犠牲にして、これらのより高い優先度のデータチャネルの送信電力を減少させることを回避することを試みてもよい。したがって、いくつかの実施形態では、デバイスプロセッサは、オプションのブロック702において、優先度によって複数のデータチャネルをオプションで順序付けしてもよい。たとえば、データチャネルは、それらのデータの優先度および/または多数の他の基準に基づいてランク付けされてもよい。
【００８３】
ブロック704において、デバイスプロセッサは、複数のデータチャネル内の各データチャネルのためのチャネル電力を決定してもよい。いくつかの実施形態では、(たとえば、図5を参照して)説明したように、デバイスプロセッサは、データチャネルのチャネル化後で、データチャネルがオーバージエア送信のために多重化される前に、各データチャネルのためのデータチャネル電力を決定してもよい。デバイスプロセッサはまた、ブロック706において、以前に選択されていない複数のデータチャネル内のデータチャネルを選択してもよい。いくつかの実施形態では、デバイスプロセッサは、複数のデータチャネル内の他のデータチャネルに対するデータチャネルの優先度に基づいてデータチャネル(たとえば、低優先度データチャネル)を選択してもよい。
【００８４】
決定ブロック708において、デバイスプロセッサは、ブロック610で決定された総送信電力と、ブロック704で決定された選択されたデータチャネルのチャネル電力との間の差が、ブロック606で計算されたデセンス電力しきい値を超えるかどうかを決定してもよい。言い換えれば、デバイスプロセッサは、選択されたデータチャネルの送信電力を減少させることが、総送信電力をデセンス電力しきい値以下にさせることができるかどうかを決定してもよい。
【００８５】
総送信電力と、選択されたデータチャネルのチャネル電力との間の差が、デセンス電力しきい値を超えることを決定すること(すなわち、決定ブロック708=「Yes」)に応答して、ブロック710において、デバイスプロセッサは、選択されたデータチャネルのチャネル電力をゼロにしてもよい。いくつかの実施形態では、複数のデータチャネルの各々を等しく減少させるのではなく、デバイスプロセッサは、別のデータチャネルの送信電力を減少させる前に、選択されたデータチャネルのチャネル電力をゼロに減少させてもよい。デバイスプロセッサはまた、ブロック712において、選択されたチャネルのゼロにされた送信電力を反映するために、総送信電力を更新してもよい。
【００８６】
選択されたデータチャネルのチャネル電力をゼロにした後であっても総送信電力がデセンス電力しきい値を超える場合には、デバイスプロセッサは、1つまたは複数の他のデータチャネルの送信電力を減少させる必要がある可能性がある。したがって、ブロック716において、デバイスプロセッサは、以前に選択されていない複数のデータチャネル内の別のデータチャネルを選択してもよく、更新された総送信電力と、新たに選択されたデータチャネルのチャネル電力との間の差が、デセンス電力しきい値を超えるかどうかを決定することによって、決定ブロック708で開始する方法700の動作を繰り返してもよい。
【００８７】
総送信電力と、選択されたデータチャネルのチャネル電力との間の差が、デセンス電力しきい値を超えていないことを決定すること(すなわち、決定ブロック708=「No」)に応答して、ブロック714において、デバイスプロセッサは、総データチャネル電力がデセンス電力しきい値を超えないように、選択されたデータチャネルのチャネル電力を減少させてもよい。いくつかの実施形態では、デバイスプロセッサは、総送信電力がデセンス電力しきい値と等しくなる時点まで、選択されたデータチャネルのチャネル電力を減少させるだけでもよい。言い換えれば、デバイスプロセッサは、チャネル電力をゼロにすることなく、選択されたデータチャネルのチャネル電力を減少させてもよい。
【００８８】
ブロック714に続いて、決定ブロック622において、デバイスプロセッサは、共存イベントが終了したかどうかを決定してもよく、方法600の動作に進んでもよい。
【００８９】
様々な実施形態は、その一例(たとえば、MSMA通信デバイス800)が図8中に示されている様々なMSMA通信デバイスのいずれかで実施されてもよい。様々な実施形態によれば、MSMA通信デバイス800は、図1〜図3を参照して上記で説明したようなMSMA通信デバイス110、120、200と同様であってもよい。そのように、MSMA通信デバイス800は、方法600、700を実施してもよい。
【００９０】
MSMA通信デバイス800は、タッチスクリーンコントローラ804および内部メモリ806に結合されたプロセッサ802を含んでもよい。プロセッサ802は、汎用または特定の処理タスクのために設計された1つまたは複数のマルチコア集積回路であってもよい。内部メモリ806は揮発性もしくは不揮発性メモリであってもよく、また、安全保護および/もしくは暗号化メモリであっても、または非安全保護および/もしくは非暗号化メモリであっても、あるいはそれらの任意の組合せであってもよい。タッチスクリーンコントローラ804およびプロセッサ802は、抵抗感知タッチスクリーン、容量感知タッチスクリーン、赤外線感知タッチスクリーンなどの、タッチスクリーンパネル812に結合される場合もある。加えて、MSMA通信デバイス800のディスプレイは、タッチスクリーン機能を有する必要はない。
【００９１】
MSMA通信デバイス800は、プロセッサ802と2つ以上のアンテナ810とに結合され、セルラー通信を送信および受信するために構成された1つまたは複数のセルラーネットワークトランシーバ808a、808bを有してもよい。トランシーバ808およびアンテナ810a、810bは、様々な実施形態の方法を実施するために、上述した回路で使用されてもよい。MSMA通信デバイス800は、トランシーバ808a、808bおよび/またはプロセッサ802に結合され、上記で説明したように構成された2つ以上のSIMカード816a、816bを含んでもよい。MSMA通信デバイス800は、セルラーネットワークワイヤレスモデムチップ811を含んでもよく、セルラーネットワークワイヤレスモデムチップ811は、セルラーネットワークを介した通信を可能にし、プロセッサに結合される。
【００９２】
MSMA通信デバイス800はまた、オーディオ出力を提供するためのスピーカ814を含んでもよい。MSMA通信デバイス800はまた、本明細書で開示された構成要素のすべてまたはいくつかを含むための、プラスチック、金属、または材料の組合せで構成されたハウジング820を含んでもよい。MSMA通信デバイス800は、使い捨てまたは充電式バッテリなどの、プロセッサ802に結合された電源822を含んでもよい。充電式バッテリはまた、MSMA通信デバイス800の外部のソースから充電電流を受け取るために、周辺装置接続ポート(図示せず)に結合されてもよい。MSMA通信デバイス800はまた、ユーザ入力を受け取るための物理ボタン824を含んでもよい。MSMA通信デバイス800はまた、MSMA通信デバイス800をオンおよびオフにするための電源ボタン826を含んでもよい。
【００９３】
前述の方法の説明およびプロセスフロー図は、単に例示的な例として提供され、様々な実施形態のステップが提示された順序で実行されなければならないことを必要とするまたは意味することを意図していない。当業者によって理解されるように、上述の実施形態におけるステップの順序は、任意の順序で実行されてもよい。「その後」、「次いで」、「次に」、などの単語は、ステップの順序を限定することを意図しておらず、これらの単語は、単に方法の説明を通じて読者を導くために使用される。さらに、たとえば冠詞「a」、「an」、または「the」を使用する、単数形での請求項の要素に対する任意の参照は、要素を単数形に限定すると解釈されるべきではない。
【００９４】
本明細書で開示された実施形態に関連して説明された様々な例示的な論理ブロック、モジュール、回路、およびアルゴリズムステップは、電子ハードウェア、コンピュータソフトウェア、または両方の組合せとして実装されてもよい。ハードウェアとソフトウェアのこの互換性を明確に示すために、様々な例示的構成要素、ブロック、モジュール、回路、およびステップが、一般にそれらの機能に関して上述された。そのような機能がハードウェアとして実装されるかソフトウェアとして実装されるかは、特定の適用例および全体的なシステムに課された設計制約に依存する。当業者は、説明した機能を各特定の用途のための様々な方法で実装してもよいが、そのような実装の決定は、本発明の範囲からの逸脱を引き起こすものとして解釈されるべきではない。
【００９５】
本明細書で開示された実施形態に関連して説明された様々な例示的なロジック、論理ブロック、モジュール、および回路を実装するために使用されるハードウェアは、汎用プロセッサ、デジタル信号プロセッサ(DSP)、特定用途向け集積回路(ASIC)、フィールドプログラマブルゲートアレイ(FPGA)もしくは他のプログラマブル論理デバイス、ディスクリートゲートもしくはトランジスタロジック、ディスクリートハードウェア構成要素、または、本明細書で説明した機能を実行するために設計されたそれらの任意の組合せで実装または実行されてもよい。汎用プロセッサはマイクロプロセッサであり得るが、代替実施形態では、プロセッサは、任意の従来型プロセッサ、コントローラ、マイクロコントローラ、または状態機械であり得る。プロセッサはまた、コンピューティングデバイスの組合せ、たとえば、DSPおよびマイクロプロセッサの組合せ、複数のマイクロプロセッサ、DPSコアと併せた1つまたは複数のマイクロプロセッサ、または任意の他のそのような構成として実装されてもよい。代替的には、いくつかのステップまたは方法は、所与の機能に固有の回路によって実行されてもよい。
【００９６】
いくつかの例示的な実施形態では、説明した機能は、ハードウェア、ソフトウェア、ファームウェア、またはそれらの任意の組合せにおいて実装されてもよい。ソフトウェアにおいて実行される場合、機能は、非一時的コンピュータ可読記憶媒体または非一時的プロセッサ可読記憶媒体上に1つまたは複数の命令またはコードとして記憶されてもよい。本明細書で開示された方法またはアルゴリズムのステップは、非一時的コンピュータ可読またはプロセッサ可読記憶媒体上に存在することができるプロセッサ実行可能ソフトウェア内に具体化されてもよい。非一時的コンピュータ可読またはプロセッサ可読記憶媒体は、コンピュータまたはプロセッサによってアクセスされ得る任意の記憶媒体であってもよい。例として、限定はしないが、そのような非一時的コンピュータ可読またはプロセッサ可読記憶媒体は、RAM、EOM、EEPROM、フラッシュメモリ、CD-ROMもしくは他の光ディスクストレージ、磁気ディスクストレージもしくは他の磁気記憶デバイス、または、命令もしくはプログラムコードの形態において所望のプログラムコードを記憶するために使用され得、コンピュータによってアクセスされ得る任意の他の媒体を含んでもよい。ディスク(disk)およびディスク(disc)は、本明細書において使用されるときに、コンパクトディスク(disc)(「CD」)、レーザディスク(disc)、光ディスク(disc)、デジタル多用途ディスク(disc)(「DVD」)、フロッピーディスク(disk)およびブルーレイディスク(disc)を含み、ディスク(disk)は通常、データを磁気的に再生し、一方、ディスク(disc)は、レーザを用いてデータを光学的に再生する。上記の組合せは、また、非一時的なコンピュータ可読およびプロセッサ可読媒体の範囲内に含まれる。加えて、方法またはアルゴリズムの動作は、コンピュータプログラム製品内に組み込まれ得る非一時的プロセッサ可読記憶媒体および/またはコンピュータ可読記憶媒体上に、コードおよび/または命令の1つまたは任意の組合せもしくはセットとして存在してもよい。
【００９７】
開示された実施形態の前述の説明は、当業者が本発明を製作または使用することを可能にするために提供される。これらの実施形態に対する様々な修正は、当業者には容易に明らかであり、本明細書で定義された一般的な原理は、本発明の要旨または範囲から逸脱することなく、いくつかの実施形態に適用され得る。したがって、本発明は、本明細書に示された実施形態に限定されることを意図しておらず、以下の特許請求の範囲、ならびに本明細書で開示された原理および新規な特徴と一致する最も広い範囲を与えられるべきである。
【符号の説明】
【００９８】
100  通信システム
102  第1のモバイルネットワーク
104  第2のモバイルネットワーク
110  第1のMSMA通信デバイス
120  第2のMSMA通信デバイス
130  第1の基地局
132  セルラー接続
134  ワイヤード接続
140  第2の基地局
142  セルラー接続
144  ワイヤード接続
150  周辺デバイス
152  ワイヤレス接続
160  ワイヤレスアクセスポイント
162  ワイヤレス接続
164  インターネット
166  ワイヤード接続
200  MSMA通信デバイス
202a  第1のSIMインターフェース
202b  第2のSIMインターフェース
204a  第1の識別モジュールSIM-1
204b  第2の識別モジュールSIM-2
206  汎用プロセッサ
208  コーダ/デコーダ(CODEC)
210  スピーカ
212  マイクロフォン
214  メモリ
216  ベースバンドモデムプロセッサ
218a  RFリソース
218b  RFリソース
220a  第1のワイヤレスアンテナ
220b  第2のワイヤレスアンテナ
224  キーパッド
226  タッチスクリーンディスプレイ
230  共存管理ユニット
300  ブロック図
302  送信機
304  受信機
306  データプロセッサ
308  変調器
310  送信回路
316  受信回路
318  復調器
320  データプロセッサ
330  RFシグナリング
400  グラフ
402  送信電力軸
404  デセンス電力しきい値
406  制御チャネル
408  データチャネル
410a  送信電力しきい値
410b  送信電力しきい値
410c  送信電力しきい値
412a  送信電力
412b  送信電力
412c  送信電力
414a  送信電力
414b  送信電力
414c  送信電力
416a  総送信電力
416b  総送信電力
416c  総送信電力
418  送信電力減少値
420  送信電力減少値
422  送信電力減少値
425  グラフ
450  グラフ
500  シグナリング図
502  専用物理データチャネル
504  データチャネルチャネル化コード
506  乗算器
508  同相データチャネル
510  データチャネル利得
512  乗算器
514  同相データチャネル
516  アグレッササブスクリプション専用物理制御チャネル
518  乗算器
520  制御チャネルチャネル化コード
522  直交位相制御チャネル
524  制御チャネル利得
526  乗算器
528  直交位相制御チャネル
530  スケーリングされた値
532  乗算器
534  スケーリングされた直交位相制御チャネル
536  加算器
538  合成チャネル
540  スクランブリングコード
542  加算器
544  スクランブルされたチャネル
550  最大送信電力
552  調整された送信電力
556  最大または全送信電力
558  調整された送信電力
560  総送信電力
800  MSMA通信デバイス
802  プロセッサ
804  タッチスクリーンコントローラ
806  内部メモリ
808a  セルラーネットワークトランシーバ
808b  セルラーネットワークトランシーバ
810a  アンテナ
810b  アンテナ
811  セルラーネットワークワイヤレスモデムチップ
812  タッチスクリーンパネル
814  スピーカ
816a  SIMカード
816b  SIMカード
820  ハウジング
822  電源
824  物理ボタン
826  電源ボタン
【図１】
2017511660.tif 000003
【図２】
2017511660.tif 000004
【図３】
2017511660.tif 000005
【図４Ａ】
2017511660.tif 000006
【図４Ｂ】
2017511660.tif 000007
【図４Ｃ】
2017511660.tif 000008
【図５】
2017511660.tif 000009
【図６】
2017511660.tif 000010
【図７】
2017511660.tif 000011
【図８】
2017511660.tif 000012
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
第1の通信アクティビティによって生じる第2の通信アクティビティに対するデセンスを軽減するための、マルチ加入者識別モジュール(マルチSIM)-マルチアクティブ通信デバイスにおいて実施される方法であって、
前記マルチSIMマルチアクティブ通信デバイス内で、前記第1の通信アクティビティと前記第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算するステップと、
前記第1の通信アクティビティのデータチャネル電力および制御チャネル電力の合計に等しい前記第1の通信アクティビティに関連付けられた総送信電力が前記デセンス電力しきい値を超えないように、前記マルチSIMマルチアクティブ通信デバイス内で、前記データチャネル電力および前記制御チャネル電力のうちの少なくとも一方を減少させるステップであって、前記制御チャネル電力が減少される前に、前記データチャネル電力がゼロに減少される、ステップと
を備え、前記第1の通信アクティビティのデータチャネル電力および制御チャネル電力のうちの少なくとも一方を減少させるステップが、
前記デセンス電力しきい値が前記総送信電力未満であるかどうかを決定するステップと、
前記デセンス電力しきい値が前記総送信電力未満であることを決定することに応答して、前記制御チャネル電力が前記デセンス電力しきい値を超えるかどうかを決定するステップと、
前記制御チャネル電力が前記デセンス電力しきい値を超えないことを決定することに応答して、前記総送信電力が前記デセンス電力しきい値を超えないように、前記データチャネル電力のみを減少させるステップと
を備える、方法。
【請求項２】
前記第1の通信アクティビティと前記第2の通信アクティビティとの間の共存イベントを検出するステップが、
共存イベントが前記第1の通信アクティビティと前記第2の通信アクティビティとの間に発生しようとしていることを決定するステップと、
共存イベントが前記第1の通信アクティビティと前記第2の通信アクティビティとの間に発生していることを決定するステップと
のうちの一方を備える、請求項1に記載の方法。
【請求項３】
前記制御チャネル電力が前記デセンス電力しきい値を超えていることを決定することに応答して、前記制御チャネル電力を前記デセンス電力しきい値と等しくなるように減少させる前に、前記データチャネル電力をゼロにするステップをさらに備える、請求項1に記載の方法。
【請求項４】
前記第1の通信アクティビティが、複数のデータチャネルに関連付けられ、
前記第1の通信アクティビティのデータチャネル電力および制御チャネル電力のうちの少なくとも一方を減少させるステップが、
前記複数のデータチャネル内のデータチャネルを選択するステップと
前記総送信電力と前記選択されたデータチャネルのチャネル電力との間の差が前記デセンス電力しきい値を超えているかどうかを決定するステップと、
前記差が前記デセンス電力しきい値を超えていないことを決定することに応答して、前記総送信電力が前記デセンス電力しきい値を超えないように、前記選択されたデータチャネルの前記チャネル電力を減少させるステップと
を備える、請求項1に記載の方法。
【請求項５】
前記差が前記デセンス電力しきい値を超えていることを決定することに応答して、前記選択されたデータチャネルの前記チャネル電力をゼロにするステップをさらに備える、請求項4に記載の方法。
【請求項６】
デセンス電力しきい値を計算するステップ、ならびに、前記第1の通信アクティビティに関連付けられた総送信電力が前記デセンス電力しきい値を超えないように、前記第1の通信アクティビティのデータチャネル電力および制御チャネル電力のうちの少なくとも一方を減少させるステップの各々が、前記第1の通信アクティビティの各アップリンク送信サイクルの間に生じる、請求項1に記載の方法。
【請求項７】
前記第1の通信アクティビティのためのデセンス電力しきい値を計算するステップが、複数の他の通信アクティビティをデセンスしない前記第1の通信アクティビティの最大送信電力として、前記第1の通信アクティビティのための前記デセンス電力しきい値を計算するステップを備える、請求項1に記載の方法。
【請求項８】
メモリと、
複数の無線周波数(RF)リソースと、
前記メモリおよび前記複数のRFリソースに結合されたプロセッサと
を備え、前記プロセッサが、
第1の通信アクティビティと第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算することと、
前記第1の通信アクティビティのデータチャネル電力および制御チャネル電力の合計に等しい前記第1の通信アクティビティに関連付けられた総送信電力が前記デセンス電力しきい値を超えないように、前記データチャネル電力および前記制御チャネル電力のうちの少なくとも一方を減少させることであって、前記制御チャネル電力が減少される前に、前記データチャネル電力がゼロに減少される、ことと
を行うように構成され、前記プロセッサが、
前記デセンス電力しきい値が前記総送信電力未満であるかどうかを決定し、
前記デセンス電力しきい値が前記総送信電力未満であることを決定することに応答して、前記制御チャネル電力が前記デセンス電力しきい値を超えるかどうかを決定し、
前記制御チャネル電力が前記デセンス電力しきい値を超えないことを決定することに応答して、前記総送信電力が前記デセンス電力しきい値を超えないように、前記データチャネル電力のみを減少させることによって、前記第1の通信アクティビティのデータチャネル電力および制御チャネル電力のうちの少なくとも一方を減少させるようにさらに構成された、マルチ加入者識別モジュール(マルチSIM)-マルチアクティブ通信デバイス。
【請求項９】
前記プロセッサが、
共存イベントが前記第1の通信アクティビティと前記第2の通信アクティビティとの間に発生しようとしていること、または、
共存イベントが前記第1の通信アクティビティと前記第2の通信アクティビティとの間に発生していることを決定することを行うようにさらに構成された、請求項8に記載のマルチSIMマルチアクティブ通信デバイス。
【請求項１０】
前記プロセッサが、前記制御チャネル電力が前記デセンス電力しきい値を超えていることを決定することに応答して、前記制御チャネル電力を前記デセンス電力しきい値と等しくなるように減少させる前に、前記データチャネル電力をゼロにするようにさらに構成された、請求項8に記載のマルチSIMマルチアクティブ通信デバイス。
【請求項１１】
前記第1の通信アクティビティが、複数のデータチャネルに関連付けられ、
前記プロセッサが、
前記複数のデータチャネル内のデータチャネルを選択することと
前記総送信電力と前記選択されたデータチャネルのチャネル電力との間の差が前記デセンス電力しきい値を超えているかどうかを決定することと、
前記差が前記デセンス電力しきい値を超えていないことを決定することに応答して、前記総送信電力が前記デセンス電力しきい値に等しくなるように、前記選択されたデータチャネルの前記チャネル電力を減少させることと
を行うようにさらに構成された、請求項8に記載のマルチSIMマルチアクティブ通信デバイス。
【請求項１２】
前記プロセッサが、前記差が前記デセンス電力しきい値を超えていることを決定することに応答して、前記選択されたデータチャネルの前記チャネル電力をゼロにするようにさらに構成された、請求項11に記載のマルチSIMマルチアクティブ通信デバイス。
【請求項１３】
前記プロセッサが、前記第1の通信アクティビティの各アップリンク送信サイクルの間に、前記デセンス電力しきい値を計算することと、前記第1の通信アクティビティに関連付けられた総送信電力が前記デセンス電力しきい値を超えないように、前記第1の通信アクティビティの前記データチャネル電力および前記制御チャネル電力のうちの少なくとも一方を減少させることとを行うようにさらに構成された、請求項8に記載のマルチSIMマルチアクティブ通信デバイス。
【請求項１４】
前記プロセッサが、複数の他の通信アクティビティをデセンスしない前記第1の通信アクティビティの最大送信電力として、前記第1の通信アクティビティのための前記デセンス電力しきい値を計算するようにさらに構成された、請求項8に記載のマルチSIMマルチアクティブ通信デバイス。
【請求項１５】
第1の通信アクティビティと第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算する動作と、
前記第1の通信アクティビティのデータチャネル電力および制御チャネル電力の合計に等しい前記第1の通信アクティビティに関連付けられた総送信電力が前記デセンス電力しきい値を超えないように、前記データチャネル電力および前記制御チャネル電力のうちの少なくとも一方を減少させる動作であって、前記制御チャネル電力が減少される前に、前記データチャネル電力がゼロに減少される、動作と
を備える動作を、マルチ加入者識別モジュール(マルチSIM)-マルチアクティブ通信デバイスのプロセッサに実行させるように構成されたプロセッサ実行可能命令が記憶されている非一時的プロセッサ可読記憶媒体であって、前記第1の通信アクティビティのデータチャネル電力および制御チャネル電力のうちの少なくとも一方を減少させる動作が、
前記デセンス電力しきい値が前記総送信電力未満であるかどうかを決定する動作と、
前記デセンス電力しきい値が前記総送信電力未満であることを決定することに応答して、前記制御チャネル電力が前記デセンス電力しきい値を超えるかどうかを決定する動作と、
前記制御チャネル電力が前記デセンス電力しきい値を超えないことを決定することに応答して、前記総送信電力が前記デセンス電力しきい値を超えないように、前記データチャネル電力のみを減少させる動作と
を備える、非一時的プロセッサ可読記憶媒体。
【請求項１６】
前記記憶されたプロセッサ実行可能命令が、前記マルチSIMマルチアクティブ通信デバイスのプロセッサに、前記第1の通信アクティビティと前記第2の通信アクティビティとの間の共存イベントを検出するための動作を実行させるように構成され、前記動作が、
共存イベントが前記第1の通信アクティビティと前記第2の通信アクティビティとの間に発生しようとしていることを決定する動作と、
共存イベントが前記第1の通信アクティビティと前記第2の通信アクティビティとの間に発生していることを決定する動作と
のうちの少なくとも1つを備える、請求項15に記載の非一時的プロセッサ可読記憶媒体。
【請求項１７】
前記記憶されたプロセッサ実行可能命令が、前記マルチSIMマルチアクティブ通信デバイスのプロセッサに、前記制御チャネル電力が前記デセンス電力しきい値を超えていることを決定することに応答して、前記制御チャネル電力を前記デセンス電力しきい値と等しくなるように減少させる前に、前記データチャネル電力をゼロにする動作をさらに備える動作を実行させるように構成された、請求項15に記載の非一時的プロセッサ可読記憶媒体。
【請求項１８】
前記第1の通信アクティビティが、複数のデータチャネルに関連付けられ、
前記記憶されたプロセッサ実行可能命令が、前記マルチSIMマルチアクティブ通信デバイスのプロセッサに、前記第1の通信アクティビティのデータチャネル電力および制御チャネル電力のうちの少なくとも一方を減少させるための動作を実行させるように構成され、前記動作が、
前記複数のデータチャネル内のデータチャネルを選択する動作と
前記総送信電力と前記選択されたデータチャネルのチャネル電力との間の差が前記デセンス電力しきい値を超えているかどうかを決定する動作と、
前記差が前記デセンス電力しきい値を超えていないことを決定することに応答して、前記総送信電力が前記デセンス電力しきい値に等しくなるように、前記選択されたデータチャネルの前記チャネル電力を減少させる動作と
を備える、請求項15に記載の非一時的プロセッサ可読記憶媒体。
【請求項１９】
前記記憶されたプロセッサ実行可能命令が、前記マルチSIMマルチアクティブ通信デバイスのプロセッサに、前記差が前記デセンス電力しきい値を超えていることを決定することに応答して、前記選択されたデータチャネルの前記チャネル電力をゼロにする動作をさらに備える動作を実行させるように構成された、請求項18に記載の非一時的プロセッサ可読記憶媒体。
【請求項２０】
前記記憶されたプロセッサ実行可能命令が、前記マルチSIMマルチアクティブ通信デバイスのプロセッサに、デセンス電力しきい値を計算する動作、ならびに、前記第1の通信アクティビティに関連付けられた総送信電力が前記デセンス電力しきい値を超えないように、前記第1の通信アクティビティのデータチャネル電力および制御チャネル電力のうちの少なくとも一方を減少させる動作の各々が、前記第1の通信アクティビティの各アップリンク送信サイクルの間に生じるように動作を実行させるように構成された、請求項15に記載の非一時的プロセッサ可読記憶媒体。
【請求項２１】
前記記憶されたプロセッサ実行可能命令が、前記マルチSIMマルチアクティブ通信デバイスのプロセッサに、前記第1の通信アクティビティのためのデセンス電力しきい値を計算するための動作を実行させるように構成され、前記動作が、複数の他の通信アクティビティをデセンスしない前記第1の通信アクティビティの最大送信電力として、前記第1の通信アクティビティのための前記デセンス電力しきい値を計算する動作を備える、請求項15に記載の非一時的プロセッサ可読記憶媒体。
【請求項２２】
第1の通信アクティビティと第2の通信アクティビティとの間の共存イベントを検出することに応答して、前記第2の通信アクティビティをデセンスしない前記第1の通信アクティビティの最大送信電力として、前記第1の通信アクティビティのためのデセンス電力しきい値を計算するための手段と、
前記第1の通信アクティビティのデータチャネル電力および制御チャネル電力の合計に等しい前記第1の通信アクティビティに関連付けられた総送信電力が前記デセンス電力しきい値を超えないように、前記データチャネル電力および前記制御チャネル電力のうちの少なくとも一方を減少させるための手段であって、前記制御チャネル電力が減少される前に、前記データチャネル電力がゼロに減少される、手段と
を備え、前記第1の通信アクティビティのデータチャネル電力および制御チャネル電力のうちの少なくとも一方を減少させるための手段が、
前記デセンス電力しきい値が前記総送信電力未満であるかどうかを決定するための手段と、
前記デセンス電力しきい値が前記総送信電力未満であることを決定することに応答して、前記制御チャネル電力が前記デセンス電力しきい値を超えるかどうかを決定するための手段と、
前記制御チャネル電力が前記デセンス電力しきい値を超えないことを決定することに応答して、前記総送信電力が前記デセンス電力しきい値を超えないように、前記データチャネル電力のみを減少させるための手段と
を備える、マルチ加入者識別モジュール(マルチSIM)-マルチアクティブ通信デバイス。
【国際調査報告】
2017511660.tif 000013
2017511660.tif 000014
2017511660.tif 000015